(57)【特許請求の範囲】
【請求項１】
印刷データを記憶先に記憶させる電子機器と、
画像を読み取る読取デバイスを備える画像形成装置と、
撮像デバイスを備える携帯機器とを備え、
前記電子機器は、前記印刷データの取得に必要な取得用情報を含む電子機器出力コードを出力し、
前記携帯機器は、前記電子機器出力コードを前記撮像デバイスによって読み取って取得した前記取得用情報に基づいて、前記印刷データの印刷を指示する印刷指示情報を生成し、生成した前記印刷指示情報を含む携帯機器出力コードを出力し、
前記画像形成装置は、前記携帯機器出力コードを前記読取デバイスによって読み取って取得した前記印刷指示情報に応じて前記記憶先から取得した前記印刷データに基づいて印刷を実行し、
前記電子機器は、前記携帯機器のための携帯機器用符号化情報によって前記取得用情報を暗号化して暗号化済取得用情報を生成し、生成した前記暗号化済取得用情報を含む前記電子機器出力コードを出力し、
前記携帯機器は、前記電子機器出力コードを前記撮像デバイスによって読み取って取得した前記暗号化済取得用情報を前記携帯機器用符号化情報によって復号することによって、前記取得用情報を取得することを特徴とする印刷システム。
【請求項２】
印刷データを記憶先に記憶させる電子機器と、
画像を読み取る読取デバイスを備える画像形成装置と、
撮像デバイスを備える携帯機器とを備え、
前記電子機器は、前記印刷データの取得に必要な取得用情報を含む電子機器出力コードを出力し、
前記携帯機器は、前記電子機器出力コードを前記撮像デバイスによって読み取って取得した前記取得用情報に基づいて、前記印刷データの印刷を指示する印刷指示情報を生成し、生成した前記印刷指示情報を含む携帯機器出力コードを出力し、
前記画像形成装置は、前記携帯機器出力コードを前記読取デバイスによって読み取って取得した前記印刷指示情報に応じて前記記憶先から取得した前記印刷データに基づいて印刷を実行し、
前記画像形成装置は、前記画像形成装置自身の装置情報を含む画像形成装置出力コードを出力し、
前記携帯機器は、前記電子機器出力コードを前記撮像デバイスによって読み取って取得した前記取得用情報と、前記画像形成装置出力コードを前記撮像デバイスによって読み取って取得した前記装置情報とに基づいて、前記印刷指示情報を生成することを特徴とする印刷システム。
【請求項３】
前記画像形成装置は、前記画像形成装置自身の装置情報を含む画像形成装置出力コードを出力し、
前記携帯機器は、前記電子機器出力コードを前記撮像デバイスによって読み取って取得した前記取得用情報と、前記画像形成装置出力コードを前記撮像デバイスによって読み取って取得した前記装置情報とに基づいて、前記印刷指示情報を生成することを特徴とする請求項１に記載の印刷システム。
【請求項４】
前記画像形成装置出力コードは、前記画像形成装置のための画像形成装置用符号化情報を含み、
前記携帯機器は、前記画像形成装置出力コードを前記撮像デバイスによって読み取って取得した前記画像形成装置用符号化情報によって前記印刷指示情報を暗号化して暗号化済印刷指示情報を生成し、生成した前記暗号化済印刷指示情報を含む前記携帯機器出力コードを出力し、
前記画像形成装置は、前記携帯機器出力コードを前記読取デバイスによって読み取って取得した前記暗号化済印刷指示情報を前記画像形成装置用符号化情報によって復号することによって、前記印刷指示情報を取得することを特徴とする請求項２または請求項３に記載の印刷システム。
【請求項５】
印刷データを記憶先に記憶させる電子機器と、
画像を読み取る読取デバイスを備える画像形成装置と、
撮像デバイスを備える携帯機器とを備え、
前記電子機器は、前記印刷データの取得に必要な取得用情報を含む電子機器出力コードを出力し、
前記携帯機器は、前記電子機器出力コードを前記撮像デバイスによって読み取って取得した前記取得用情報に基づいて、前記印刷データの印刷を指示する印刷指示情報を生成し、生成した前記印刷指示情報を含む携帯機器出力コードを出力し、
前記画像形成装置は、前記携帯機器出力コードを前記読取デバイスによって読み取って取得した前記印刷指示情報に応じて前記記憶先から取得した前記印刷データに基づいて印刷を実行し、
前記画像形成装置は、前記画像形成装置のための画像形成装置用符号化情報を含む画像形成装置出力コードを出力し、
前記携帯機器は、前記画像形成装置出力コードを前記撮像デバイスによって読み取って取得した前記画像形成装置用符号化情報によって前記印刷指示情報を暗号化して暗号化済印刷指示情報を生成し、生成した前記暗号化済印刷指示情報を含む前記携帯機器出力コードを出力し、
前記画像形成装置は、前記携帯機器出力コードを前記読取デバイスによって読み取って取得した前記暗号化済印刷指示情報を前記画像形成装置用符号化情報によって復号することによって、前記印刷指示情報を取得することを特徴とする印刷システム。
【請求項６】
前記画像形成装置は、前記画像形成装置のための画像形成装置用符号化情報を含む画像形成装置出力コードを出力し、
前記携帯機器は、前記画像形成装置出力コードを前記撮像デバイスによって読み取って取得した前記画像形成装置用符号化情報によって前記印刷指示情報を暗号化して暗号化済印刷指示情報を生成し、生成した前記暗号化済印刷指示情報を含む前記携帯機器出力コードを出力し、
前記画像形成装置は、前記携帯機器出力コードを前記読取デバイスによって読み取って取得した前記暗号化済印刷指示情報を前記画像形成装置用符号化情報によって復号することによって、前記印刷指示情報を取得することを特徴とする請求項１に記載の印刷システム。
【請求項７】
前記携帯機器は、前記取得用情報のうち少なくとも１つの取得用情報の選択を受け付け、選択された取得用情報に対応する前記印刷指示情報を生成することを特徴とする請求項１から請求項６までの何れかに記載の印刷システム。
【請求項８】
前記電子機器は、利用者を識別するための利用者識別情報に関連付けて前記印刷データを前記記憶先に記憶させ、
前記携帯機器は、前記印刷指示情報に前記利用者識別情報を含め、
前記画像形成装置は、前記印刷指示情報に含まれる前記利用者識別情報が前記記憶先に記憶されている前記印刷データに関連付けられている場合に印刷を実行することを特徴とする請求項１から請求項７までの何れかに記載の印刷システム。
【発明の詳細な説明】
【技術分野】
【０００１】
本発明は、特定の記憶先に記憶させられている印刷データに基づいて印刷を実行する印刷システムに関する。
【背景技術】
【０００２】
従来、印刷データを記憶するクライアントＰＣと、プリンターと、スマートフォンとを備える印刷システムが知られている（例えば、特許文献１参照。）。従来の印刷システムにおいては、プリンターを特定するためのプリンター特定情報をスマートフォンが取得した後、スマートフォンがプリンター特定情報をクライアントＰＣに送信することによって、プリンター特定情報によって示されるプリンターにクライアントＰＣが印刷データを送信し、クライアントＰＣから印刷データが送信されたプリンターが印刷データに基づいて印刷を実行する。ここで、従来の印刷システムにおいては、スマートフォンは、プリンターに固定されているＩＣタグからＩＣカードリーダーによってプリンター特定情報を取得したり、プリンターに固定されているバーコードからカメラによってプリンター特定情報を取得したりすることができる。
【先行技術文献】
【特許文献】
【０００３】
【特許文献１】特開２０１３−１８６８２４号公報
【発明の概要】
【発明が解決しようとする課題】
【０００４】
しかしながら、従来の印刷システムにおいては、クライアントＰＣと、プリンターとが接続されているネットワークにスマートフォンも接続されている必要があるので、スマートフォンに対してネットワークのセキュリティーを考慮しなければならないという問題がある。
【０００５】
そこで、本発明は、印刷データを記憶先に記憶させる電子機器と、印刷データに基づいて印刷を実行する画像形成装置とが接続されているネットワークに接続されていない携帯機器を利用して印刷を実行することができる印刷システムを提供することを目的とする。
【課題を解決するための手段】
【０００６】
本発明の印刷システムは、印刷データを記憶先に記憶させる電子機器と、画像を読み取る読取デバイスを備える画像形成装置と、撮像デバイスを備える携帯機器とを備え、前記電子機器は、前記印刷データの取得に必要な取得用情報を含む電子機器出力コードを出力し、前記携帯機器は、前記電子機器出力コードを前記撮像デバイスによって読み取って取得した前記取得用情報に基づいて、前記印刷データの印刷を指示する印刷指示情報を生成し、生成した前記印刷指示情報を含む携帯機器出力コードを出力し、前記画像形成装置は、前記携帯機器出力コードを前記読取デバイスによって読み取って取得した前記印刷指示情報に応じて前記記憶先から取得した前記印刷データに基づいて印刷を実行することを特徴とする。
【０００７】
この構成により、本発明の印刷システムは、印刷データの取得に必要な取得用情報を含む電子機器出力コードを、印刷データを記憶先に記憶させる電子機器によって出力し、電子機器出力コードを携帯機器の撮像デバイスによって読み取って取得した取得用情報に基づいて、印刷データの印刷を指示する印刷指示情報を含む携帯機器出力コードを携帯機器によって出力し、携帯機器出力コードを画像形成装置の読取デバイスによって読み取って取得した印刷指示情報に応じて記憶先から取得した印刷データに基づいて画像形成装置によって印刷を実行するので、印刷データを記憶先に記憶させる電子機器と、印刷データに基づいて印刷を実行する画像形成装置とが接続されているネットワークに接続されていない携帯機器を利用して印刷を実行することができる。
【０００８】
また、本発明の印刷システムにおいて、前記電子機器は、前記携帯機器のための携帯機器用符号化情報によって前記取得用情報を暗号化して暗号化済取得用情報を生成し、生成した前記暗号化済取得用情報を含む前記電子機器出力コードを出力し、前記携帯機器は、前記電子機器出力コードを前記撮像デバイスによって読み取って取得した前記暗号化済取得用情報を前記携帯機器用符号化情報によって復号することによって、前記取得用情報を取得しても良い。
【０００９】
この構成により、本発明の印刷システムは、電子機器出力コードに含まれる取得用情報が暗号化されているので、電子機器出力コードが第三者に見られたとしても、取得用情報が第三者に知られる可能性を低減することができる。
【００１０】
また、本発明の印刷システムにおいて、前記画像形成装置は、前記画像形成装置自身の装置情報を含む画像形成装置出力コードを出力し、前記携帯機器は、前記電子機器出力コードを前記撮像デバイスによって読み取って取得した前記取得用情報と、前記画像形成装置出力コードを前記撮像デバイスによって読み取って取得した前記装置情報とに基づいて、前記印刷指示情報を生成しても良い。
【００１１】
この構成により、本発明の印刷システムは、取得用情報だけでなく、画像形成装置の装置情報にも基づいて印刷指示情報を生成するので、画像形成装置に対して印刷を適切に指示することができる。
【００１２】
また、本発明の印刷システムにおいて、前記画像形成装置出力コードは、前記画像形成装置のための画像形成装置用符号化情報を含み、前記携帯機器は、前記画像形成装置出力コードを前記撮像デバイスによって読み取って取得した前記画像形成装置用符号化情報によって前記印刷指示情報を暗号化して暗号化済印刷指示情報を生成し、生成した前記暗号化済印刷指示情報を含む前記携帯機器出力コードを出力し、前記画像形成装置は、前記携帯機器出力コードを前記読取デバイスによって読み取って取得した前記暗号化済印刷指示情報を前記画像形成装置用符号化情報によって復号することによって、前記印刷指示情報を取得しても良い。
【００１３】
この構成により、本発明の印刷システムは、携帯機器出力コードに含まれる印刷指示情報が暗号化されているので、携帯機器出力コードが第三者に見られたとしても、印刷指示情報が第三者に知られる可能性を低減することができる。
【００１４】
また、本発明の印刷システムにおいて、前記画像形成装置は、前記画像形成装置のための画像形成装置用符号化情報を含む画像形成装置出力コードを出力し、前記携帯機器は、前記画像形成装置出力コードを前記撮像デバイスによって読み取って取得した前記画像形成装置用符号化情報によって前記印刷指示情報を暗号化して暗号化済印刷指示情報を生成し、生成した前記暗号化済印刷指示情報を含む前記携帯機器出力コードを出力し、前記画像形成装置は、前記携帯機器出力コードを前記読取デバイスによって読み取って取得した前記暗号化済印刷指示情報を前記画像形成装置用符号化情報によって復号することによって、前記印刷指示情報を取得しても良い。
【００１５】
この構成により、本発明の印刷システムは、携帯機器出力コードに含まれる印刷指示情報が暗号化されているので、携帯機器出力コードが第三者に見られたとしても、印刷指示情報が第三者に知られる可能性を低減することができる。
【００１６】
また、本発明の印刷システムにおいて、前記携帯機器は、前記電子機器出力コードを前記撮像デバイスによって読み取って取得した前記取得用情報のうち少なくとも１つの取得用情報の選択を受け付け、選択された取得用情報に対応する前記印刷指示情報を生成しても良い。
【００１７】
この構成により、本発明の印刷システムは、取得用情報の選択を携帯機器によって受け付けるので、利用者が印刷を希望する印刷データに基づいた印刷を実行することができる。
【００１８】
また、本発明の印刷システムにおいて、前記電子機器は、利用者を識別するための利用者識別情報に関連付けて前記印刷データを前記記憶先に記憶させ、前記携帯機器は、前記印刷指示情報に前記利用者識別情報を含め、前記画像形成装置は、前記印刷指示情報に含まれる前記利用者識別情報が前記記憶先に記憶されている前記印刷データに関連付けられている場合に印刷を実行しても良い。
【００１９】
この構成により、本発明の印刷システムは、携帯機器の利用者に関連付けられた印刷データに基づいた印刷を実行するので、携帯機器の利用者が印刷の実行の権限を持っていない印刷データに基づいた印刷を防止することができる。
【発明の効果】
【００２０】
本発明の印刷システムは、印刷データを記憶先に記憶させる電子機器と、印刷データに基づいて印刷を実行する画像形成装置とが接続されているネットワークに接続されていない携帯機器を利用して印刷を実行することができる。
【図面の簡単な説明】
【００２１】
【図１】本発明の一実施の形態に係る印刷システムのブロック図である。
【図２】図１に示すＰＣのブロック図である。
【図３】図１に示すＭＦＰのブロック図である。
【図４】図１に示すスマートフォンのブロック図である。
【図５】プルプリント型の印刷が指示された場合の図１に示すＰＣの動作のフローチャートである。
【図６】取得用情報を取得する場合の図１に示すスマートフォンの動作のフローチャートである。
【図７】ＭＦＰ出力コードを出力する場合の図１に示すＭＦＰの動作のフローチャートである。
【図８】スマートフォン出力コードを出力する場合の図１に示すスマートフォンの動作のフローチャートである。
【図９】スマートフォン出力コードに応じて印刷を実行する場合の図１に示すＭＦＰの動作のフローチャートである。
【発明を実施するための形態】
【００２２】
以下、本発明の一実施の形態について、図面を用いて説明する。
【００２３】
まず、本実施の形態に係る印刷システムの構成について説明する。
【００２４】
図１は、本実施の形態に係る印刷システム１０のブロック図である。
【００２５】
図１に示すように、印刷システム１０は、ＰＣ（Ｐｅｒｓｏｎａｌ  Ｃｏｍｐｕｔｅｒ）２０を含む複数のＰＣと、ＭＦＰ（Ｍｕｌｔｉｆｕｎｃｔｉｏｎ  Ｐｅｒｉｐｈｅｒａｌ）３０を含む複数のＭＦＰと、スマートフォン４０を含む複数のスマートフォンとを備えている。ＰＣと、ＭＦＰとは、ＬＡＮ（Ｌｏｃａｌ  Ａｒｅａ  Ｎｅｔｗｏｒｋ）、インターネットなどのネットワーク１１を介して通信可能である。スマートフォンは、ネットワーク１１に接続されていなくても良い。
【００２６】
ＰＣは、本発明の電子機器を構成している。以下、印刷システム１０に含まれる複数のＰＣを代表して、ＰＣ２０について説明する。
【００２７】
ＭＦＰは、本発明の画像形成装置を構成している。以下、印刷システム１０に含まれる複数のＭＦＰを代表して、ＭＦＰ３０について説明する。
【００２８】
スマートフォンは、本発明の携帯機器を構成している。以下、印刷システム１０に含まれる複数のスマートフォンを代表して、スマートフォン４０について説明する。
【００２９】
図２は、ＰＣ２０のブロック図である。
【００３０】
図２に示すように、ＰＣ２０は、種々の操作が入力されるマウス、キーボードなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、ネットワーク１１（図１参照。）経由で外部の装置と通信を行うネットワーク通信デバイスであるネットワーク通信部２３と、各種の情報を記憶するＨＤＤ（Ｈａｒｄ  Ｄｉｓｋ  Ｄｒｉｖｅ）などの不揮発性の記憶デバイスである記憶部２４と、ＰＣ２０全体を制御する制御部２５とを備えている。
【００３１】
記憶部２４は、印刷データ２４ａを複数記憶可能である。
【００３２】
記憶部２４は、スマートフォンのための携帯機器用符号化情報としてのスマートフォン用キーワード２４ｂを記憶可能である。スマートフォン用キーワード２４ｂは、例えば操作部２１から入力されることが可能である。
【００３３】
制御部２５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行する。
【００３４】
図３は、ＭＦＰ３０のブロック図である。
【００３５】
図３に示すように、ＭＦＰ３０は、種々の操作が入力されるボタンなどの入力デバイスである操作部３１と、種々の情報を表示するＬＣＤなどの表示デバイスである表示部３２と、原稿から画像を読み取る読取デバイスであるスキャナー３３と、用紙などの記録媒体に印刷を実行する印刷デバイスであるプリンター３４と、図示していない外部のファクシミリ装置と公衆電話回線などの通信回線経由でファックス通信を行うファックスデバイスであるファックス通信部３５と、ネットワーク１１（図１参照。）経由で外部の装置と通信を行うネットワーク通信デバイスであるネットワーク通信部３６と、各種の情報を記憶する半導体メモリー、ＨＤＤなどの不揮発性の記憶デバイスである記憶部３７と、ＭＦＰ３０全体を制御する制御部３８とを備えている。
【００３６】
記憶部３７は、印刷データ３７ａを複数記憶可能である。
【００３７】
記憶部３７は、ＭＦＰ３０のための画像形成装置用符号化情報としてのＭＦＰ用キーワード３７ｂを記憶可能である。ＭＦＰ用キーワード３７ｂは、例えば操作部３１から入力されることが可能である。
【００３８】
制御部３８は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３７に記憶されているプログラムを実行する。
【００３９】
図４は、スマートフォン４０のブロック図である。
【００４０】
図４に示すように、スマートフォン４０は、種々の操作が入力されるボタンなどの入力デバイスである操作部４１と、種々の情報を表示するＬＣＤなどの表示デバイスである表示部４２と、無線通信によって外部の装置と通信を行う通信デバイスである無線通信部４３と、撮像デバイスとしてのカメラ４４と、プログラムおよび各種のデータを記憶している半導体メモリーなどの不揮発性の記憶デバイスである記憶部４５と、スマートフォン４０全体を制御する制御部４６とを備えている。
【００４１】
記憶部４５は、スマートフォン４０のための携帯機器用符号化情報としてのスマートフォン用キーワード４５ａを記憶可能である。スマートフォン用キーワード４５ａは、例えば操作部４１から入力されることが可能である。
【００４２】
記憶部４５は、ＭＦＰのための画像形成装置用符号化情報としてのＭＦＰ用キーワード４５ｂを記憶可能である。
【００４３】
記憶部４５は、印刷データの取得に必要な取得用情報を暗号化した暗号化済取得用情報４５ｃを複数記憶可能である。
【００４４】
記憶部４５は、ＭＦＰの装置情報としてＭＦＰ情報４５ｄを記憶可能である。
【００４５】
制御部４６は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４５に記憶されているプログラムを実行する。
【００４６】
次に、印刷システム１０の動作について説明する。
【００４７】
まず、プルプリント型の印刷が指示された場合のＰＣ２０の動作について説明する。
【００４８】
利用者は、ＰＣ２０の操作部２１を介してＰＣ２０に印刷を指示することができる。ここで、利用者は、ＰＣ２０に印刷を指示する場合に、印刷を実行するＭＦＰを指定することによって指定のＭＦＰによる印刷を指示することができるが、任意のＭＦＰによって印刷を実行するためのプルプリント型の印刷を指示することもできる。ＰＣ２０の制御部２５は、プルプリント型の印刷が指示されると、図５に示す動作を実行する。
【００４９】
図５は、プルプリント型の印刷が指示された場合のＰＣ２０の動作のフローチャートである。
【００５０】
図５に示すように、ＰＣ２０の制御部２５は、プルプリント型の印刷の指示に応じて印刷データを生成する（Ｓ１０１）。
【００５１】
次いで、制御部２５は、Ｓ１０１において生成した印刷データを、ＰＣ２０にログイン中の利用者を識別するための利用者識別情報としての利用者ＩＤに関連付けて、プルプリント型の印刷の指示に応じた記憶先に記憶させる（Ｓ１０２）。ここで、記憶先は、ＰＣ２０自身を含め、印刷システム１０内の何れのＰＣであっても良いし、印刷システム１０内の何れのＭＦＰであっても良い。
【００５２】
次いで、制御部２５は、Ｓ１０２において記憶先に記憶させた印刷データの取得に必要な取得用情報を生成する（Ｓ１０３）。ここで、取得用情報は、Ｓ１０２において印刷データを記憶させた記憶先を示す情報を含んでいる。
【００５３】
次いで、制御部２５は、Ｓ１０３において生成した取得用情報をスマートフォン用キーワード２４ｂによって暗号化して暗号化済取得用情報を生成する（Ｓ１０４）。ここで、スマートフォン用キーワード２４ｂは、スマートフォン４０に入力されているスマートフォン用キーワード４５ａと同一のキーワードが入力されているものとする。また、暗号化済取得用情報のファイル名には、Ｓ１０１において生成された印刷データが利用者によって選択されるための情報が含まれている。
【００５４】
次いで、制御部２５は、Ｓ１０４において生成した暗号化済取得用情報を含む電子機器出力コードとしてのＰＣ出力コードを出力して（Ｓ１０５）、図５に示す動作を終了する。ここで、ＰＣ出力コードは、ＱＲコード（登録商標）である。ＰＣ出力コードの出力方法としては、表示部２２への表示や、印刷システム１０に含まれる何れかのＭＦＰによるＰＣ２０からの指示に応じた印刷が考えられる。
【００５５】
次に、取得用情報を取得する場合のスマートフォン４０の動作について説明する。
【００５６】
利用者は、スマートフォン４０の操作部４１を介して取得用情報の取得をスマートフォン４０に指示することができる。ここで、利用者は、取得用情報の取得をスマートフォン４０に指示する場合に、ＰＣ２０によって出力されたＰＣ出力コードがカメラ４４の撮影範囲に入るように、ＰＣ出力コードと、カメラ４４との位置関係を調整することができる。スマートフォン４０の制御部４６は、取得用情報の取得が指示されると、図６に示す動作を実行する。
【００５７】
図６は、取得用情報を取得する場合のスマートフォン４０の動作のフローチャートである。
【００５８】
図６に示すように、スマートフォン４０の制御部４６は、ＰＣ出力コードをカメラ４４によって撮影し（Ｓ１１１）、Ｓ１１１において撮影したＰＣ出力コードを解析して暗号化済取得用情報を取得する（Ｓ１１２）。すなわち、制御部４６は、ＰＣ出力コードをカメラ４４によって読み取ることによって、暗号化された取得用情報を取得することができる。
【００５９】
次いで、制御部４６は、Ｓ１１２において取得した暗号化済取得用情報を暗号化済取得用情報４５ｃとして記憶部４５に記憶して（Ｓ１１３）、図６に示す動作を終了する。
【００６０】
次に、画像形成装置出力コードとしてのＭＦＰ出力コードを出力する場合のＭＦＰ３０の動作について説明する。
【００６１】
利用者は、ＭＦＰ３０の操作部３１を介してＭＦＰ３０にＭＦＰ出力コードの出力を指示することができる。ＭＦＰ３０の制御部３８は、ＭＦＰ出力コードの出力が指示されると、図７に示す動作を実行する。
【００６２】
図７は、ＭＦＰ出力コードを出力する場合のＭＦＰ３０の動作のフローチャートである。
【００６３】
図７に示すように、ＭＦＰ３０の制御部３８は、ＭＦＰ３０自身の装置情報と、ＭＦＰ用キーワード３７ｂとを含むＭＦＰ出力コードを出力して（Ｓ１２１）、図７に示す動作を終了する。ここで、ＭＦＰ出力コードは、ＱＲコードである。ＭＦＰ出力コードの出力方法としては、表示部３２への表示や、プリンター３４による印刷が考えられる。
【００６４】
次に、携帯機器出力コードとしてのスマートフォン出力コードを出力する場合のスマートフォン４０の動作について説明する。
【００６５】
利用者は、スマートフォン４０の操作部４１を介してスマートフォン４０にスマートフォン出力コードの出力を指示することができる。ここで、利用者は、スマートフォン出力コードの出力をスマートフォン４０に指示する場合に、ＭＦＰ３０によって出力されたＭＦＰ出力コードがカメラ４４の撮影範囲に入るように、ＭＦＰ出力コードと、カメラ４４との位置関係を調整することができる。スマートフォン４０の制御部４６は、スマートフォン出力コードの出力が指示されると、図８に示す動作を実行する。
【００６６】
図８は、スマートフォン出力コードを出力する場合のスマートフォン４０の動作のフローチャートである。
【００６７】
図８に示すように、スマートフォン４０の制御部４６は、ＭＦＰ出力コードをカメラ４４によって撮影し（Ｓ１３１）、Ｓ１３１において撮影したＭＦＰ出力コードを解析してＭＦＰの装置情報と、ＭＦＰ用キーワードとを取得する（Ｓ１３２）。すなわち、制御部４６は、ＭＦＰ出力コードをカメラ４４によって読み取ることによって、ＭＦＰの装置情報と、ＭＦＰ用キーワードとを取得することができる。
【００６８】
次いで、制御部４６は、Ｓ１３２において取得した装置情報をＭＦＰ情報４５ｄとして記憶部４５に記憶するとともに、Ｓ１３２において取得したＭＦＰ用キーワードをＭＦＰ用キーワード４５ｂとして記憶部４５に記憶する（Ｓ１３３）。
【００６９】
次いで、制御部４６は、記憶部４５に記憶されている暗号化済取得用情報４５ｃを表示部４２に表示させて（Ｓ１３４）、表示部４２に表示させた暗号化済取得用情報４５ｃに対する操作部４１を介した選択を受け付ける（Ｓ１３５）。ここで、利用者は、暗号化済取得用情報４５ｃのファイル名に含まれている情報に基づいて、暗号化済取得用情報４５ｃに対応する印刷データを識別することができる。したがって、利用者は、印刷データに基づいた印刷を実行するための暗号化済取得用情報４５ｃを操作部４１を介して選択することができる。
【００７０】
次いで、制御部４６は、Ｓ１３５において選択を受け付けた暗号化済取得用情報４５ｃをスマートフォン用キーワード４５ａによって復号することによって、取得用情報を取得する（Ｓ１３６）。
【００７１】
次いで、制御部４６は、Ｓ１３６において取得した取得用情報と、Ｓ１３３において記憶したＭＦＰ情報４５ｄと、スマートフォン４０にログイン中の利用者を識別するための利用者ＩＤとに基づいて、印刷データの印刷を指示する印刷指示情報を生成する（Ｓ１３７）。ここで、制御部４６は、Ｓ１３６において取得した取得用情報に含まれる印刷条件での印刷をＭＦＰ３０が実行することができることをＭＦＰ情報４５ｄに基づいて確認した場合に、印刷指示情報を生成する。例えば、Ｓ１３６において取得した取得用情報に含まれる印刷条件が両面印刷である場合に、ＭＦＰ３０が両面印刷に対応していないことがＭＦＰ情報４５ｄに基づいて確認されたとき、制御部４６は、印刷指示情報を生成しない。また、制御部４６は、印刷指示情報を生成する場合に、Ｓ１３６において取得した取得用情報に含まれる記憶先と、利用者ＩＤとを印刷指示情報に含める。
【００７２】
次いで、制御部４６は、Ｓ１３７において生成した印刷指示情報を、Ｓ１３３において記憶したＭＦＰ用キーワード４５ｂによって暗号化して暗号化済印刷指示情報を生成する（Ｓ１３８）。
【００７３】
次いで、制御部４６は、Ｓ１３８において生成した暗号化済印刷指示情報を含むスマートフォン出力コードを出力して（Ｓ１３９）、図８に示す動作を終了する。ここで、スマートフォン出力コードは、ＱＲコードである。スマートフォン出力コードの出力方法としては、表示部４２への表示や、何れかの画像形成装置や印刷システム１０に含まれる何れかのＭＦＰによるスマートフォン４０からの指示に応じた印刷が考えられる。なお、スマートフォン４０は、ネットワーク１１に接続されていない場合に、印刷システム１０に含まれる何れかのＭＦＰによってスマートフォン出力コードを印刷させるとき、ネットワーク１１に一時的に接続させられても良いし、ネットワーク１１を介せずにＭＦＰに直接接続させられても良い。
【００７４】
次に、スマートフォン出力コードに応じて印刷を実行する場合のＭＦＰ３０の動作について説明する。
【００７５】
利用者は、スマートフォン出力コードに応じた印刷の実行をＭＦＰ３０の操作部３１を介してＭＦＰ３０に指示することができる。ここで、利用者は、スマートフォン出力コードに応じた印刷の実行をＭＦＰ３０に指示する場合に、スマートフォン４０によって出力されたスマートフォン出力コードがスキャナー３３の読み取り範囲に入るように、スマートフォン出力コードと、スキャナー３３との位置関係を調整することができる。ＭＦＰ３０の制御部３８は、スマートフォン出力コードに応じた印刷の実行が指示されると、図９に示す動作を実行する。
【００７６】
図９は、スマートフォン出力コードに応じて印刷を実行する場合のＭＦＰ３０の動作のフローチャートである。
【００７７】
図９に示すように、ＭＦＰ３０の制御部３８は、スマートフォン出力コードをスキャナー３３によって読み取り（Ｓ１４１）、Ｓ１４１において読み取ったスマートフォン出力コードを解析して暗号化済印刷指示情報を取得する（Ｓ１４２）。すなわち、制御部３８は、スマートフォン出力コードをスキャナー３３によって読み取ることによって、暗号化された印刷指示情報を取得することができる。
【００７８】
次いで、制御部３８は、Ｓ１４２において取得した暗号化済印刷指示情報をＭＦＰ用キーワード３７ｂによって復号することによって、印刷指示情報を取得する（Ｓ１４３）。
【００７９】
次いで、制御部３８は、Ｓ１４３において取得した印刷指示情報に含まれる記憶先から対象の印刷データを取得する（Ｓ１４４）。ここで、制御部３８は、印刷指示情報に含まれる記憶先から対象の印刷データを取得する場合に、印刷指示情報に含まれる利用者ＩＤを使用する。そして、印刷指示情報に含まれる記憶先は、印刷指示情報に含まれる利用者ＩＤに対象の印刷データが関連付けられている場合に、ＭＦＰ３０の制御部３８による対象の印刷データの取得を許可する。したがって、制御部３８は、印刷指示情報に含まれる利用者ＩＤに対象の印刷データが関連付けられている場合に、印刷指示情報に含まれる記憶先から対象の印刷データを取得することができる。一方、制御部３８は、印刷指示情報に含まれる利用者ＩＤに対象の印刷データが関連付けられていない場合に、印刷指示情報に含まれる記憶先から対象の印刷データを取得することができない。
【００８０】
次いで、制御部３８は、Ｓ１４４において取得した印刷データに基づいてプリンター３４によって印刷を実行して（Ｓ１４５）、図９に示す動作を終了する。
【００８１】
以上に説明したように、印刷システム１０は、印刷データの取得に必要な取得用情報を含むＰＣ出力コードを、印刷データを記憶先に記憶させる（Ｓ１０２）ＰＣによって出力し（Ｓ１０５）、ＰＣ出力コードをスマートフォンのカメラによって読み取って（Ｓ１１１）取得した（Ｓ１１２およびＳ１３６）取得用情報に基づいて、印刷データの印刷を指示する印刷指示情報を含むスマートフォン出力コードをスマートフォンによって出力し（Ｓ１３９）、スマートフォン出力コードをＭＦＰのスキャナーによって読み取って（Ｓ１４１）取得した（Ｓ１４２およびＳ１４３）印刷指示情報に応じて記憶先から取得した（Ｓ１４４）印刷データに基づいてＭＦＰによって印刷を実行する（Ｓ１４５）ので、印刷データを記憶先に記憶させるＰＣと、印刷データに基づいて印刷を実行するＭＦＰとが接続されているネットワーク１１に接続されていないスマートフォンを利用して印刷を実行することができる。したがって、印刷システム１０は、スマートフォンに対してネットワーク１１のセキュリティーを考慮する必要がなく、構築を容易化および低コスト化することができる。
【００８２】
印刷システム１０は、利用者が所有しているスマートフォンが活用されることができるので、構築を低コスト化することができる。
【００８３】
印刷システム１０は、スマートフォンに元々備わっているカメラがＰＣ出力コードおよびＭＦＰ出力コードの読み取りに使用されるとともに、ＭＦＰに元々備わっているスキャナーがスマートフォン出力コードの読み取りに使用されるので、追加のデバイスが必要なく、構築を容易化および低コスト化することができる。
【００８４】
印刷システム１０は、ＭＦＰに例えば人感センサーの一部として用いるなどの理由でカメラが備わった場合には、このカメラがスキャナーに代わってスマートフォン出力コードのための読取デバイスとして使用されても良い。
【００８５】
なお、印刷システム１０は、スマートフォンに元々備わっているカメラがＰＣ出力コードおよびＭＦＰ出力コードの読み取りに使用されない場合や、スマートフォンにカメラが元々備わっていない場合などに、ＰＣ出力コードおよびＭＦＰ出力コードの読み取りのための撮像デバイスがスマートフォンに追加されることによって構築されても良い。また、印刷システム１０は、ＭＦＰに元々備わっているスキャナーがスマートフォン出力コードの読み取りに使用されない場合や、ＭＦＰにスキャナーが元々備わっていない場合などに、スマートフォン出力コードのための読取デバイスがＭＦＰに追加されることによって構築されても良い。
【００８６】
印刷システム１０は、スマートフォンが使用されることによって、ＭＦＰの操作部および表示部が使用される操作が低減するので、例えば下位のモデルのＭＦＰなど、操作部および表示部の少なくとも一方が小さいＭＦＰが使用されたとしても、ＰＣによって記憶先に記憶させられた印刷データに基づいたＭＦＰによる印刷の実行を容易化することができる。
【００８７】
印刷システム１０は、ＰＣ出力コードに含まれる取得用情報が暗号化されている（Ｓ１０３〜Ｓ１０５）ので、ＰＣ出力コードが第三者に見られたとしても、取得用情報が第三者に知られる可能性を低減することができる。更に、印刷システム１０は、スマートフォンに記憶されている取得用情報が暗号化されているので、スマートフォンが第三者に操作されたとしても、取得用情報が第三者に知られる可能性を低減することができる。
【００８８】
なお、取得用情報は、印刷データそのものではないので、そもそも第三者に知られても、問題が少ない。したがって、印刷システム１０は、ＰＣ出力コードに含まれる取得用情報が暗号化されていなくても良いし、スマートフォンに記憶されている取得用情報が暗号化されていなくても良い。
【００８９】
印刷システム１０は、スマートフォン出力コードに含まれる印刷指示情報が暗号化されている（Ｓ１３７〜Ｓ１３９）ので、スマートフォン出力コードが第三者に見られたとしても、印刷指示情報が第三者に知られる可能性を低減することができる。
【００９０】
なお、印刷システム１０は、スマートフォン出力コードに含まれる取得用情報が暗号化されていなくても良い。
【００９１】
印刷システム１０は、取得用情報だけでなく、ＭＦＰ情報にも基づいて印刷指示情報を生成するので、ＭＦＰに対して印刷を適切に指示することができる。なお、印刷システム１０は、ＭＦＰ情報に基づかずに印刷指示情報を生成しても良い。
【００９２】
印刷システム１０は、取得用情報の選択をスマートフォンによって受け付ける（Ｓ１３５）ので、利用者が印刷を希望する印刷データに基づいた印刷を実行することができる。なお、印刷システム１０は、取得用情報の選択をスマートフォンによって受け付けずに、スマートフォンに記憶されている取得用情報のうち、スマートフォンの利用者に関連付けられた全ての取得用情報に基づいた印刷を実行しても良い。
【００９３】
印刷システム１０は、スマートフォンの利用者に関連付けられた印刷データに基づいた印刷を実行するので、スマートフォンの利用者が印刷の実行の権限を持っていない印刷データに基づいた印刷を防止することができる。なお、印刷システム１０は、印刷データと利用者との関連付けが行われない構成であっても良い。すなわち、印刷システム１０は、利用者ＩＤに基づかないスマートフォン出力コードをスマートフォンによって出力することによって、印刷データに基づいた印刷の実行の権限に関係なく、印刷データに基づいた印刷を実行する構成であっても良い。
【００９４】
印刷システム１０は、ＰＣ出力コードの出力方法として印刷が採用される場合、図５に示す動作の後で処理が中断された後、たとえＰＣが起動していない状態で図６に示す動作が開始されたとしても、記録媒体に印刷されたＰＣ出力コードによって処理を続行することができる。同様に、印刷システム１０は、ＭＦＰ出力コードの出力方法として印刷が採用される場合、図７に示す動作の後で処理が中断された後、たとえＭＦＰが起動していない状態で図８に示す動作が開始されたとしても、記録媒体に印刷されたＭＦＰ出力コードによって処理を続行することができる。同様に、印刷システム１０は、スマートフォン出力コードの出力方法として印刷が採用される場合、図８に示す動作の後で処理が中断された後、たとえスマートフォンが起動していない状態で図９に示す動作が開始されたとしても、記録媒体に印刷されたスマートフォン出力コードによって処理を続行することができる。
【００９５】
本発明は、本実施の形態において、任意のＭＦＰによって印刷を実行するためのプルプリント型の印刷に適用されている。しかしながら、本発明は、特定のＭＦＰによる印刷に適用されても良い。例えば、本発明は、ＰＣによって印刷データが記憶させられたＭＦＰ自身による、この印刷データに基づいた印刷に適用されても良い。
【００９６】
本発明の電子機器は、本実施の形態においてＰＣであるが、ＰＣ以外の電子機器であっても良い。
【００９７】
本発明の画像形成装置は、本実施の形態においてＭＦＰであるが、ＭＦＰ以外の画像形成装置であっても良い。
【００９８】
本発明の携帯機器は、本実施の形態においてスマートフォンであるが、スマートフォン以外の携帯機器であっても良い。
【００９９】
本発明の電子機器出力コード、画像形成装置出力コードおよび携帯機器出力コードは、本実施の形態においてＱＲコードであるが、ＱＲコード以外の画像によるコードであっても良いし、画像以外のコードであっても良い。
【符号の説明】
【０１００】
１０  印刷システム
２０  ＰＣ（電子機器）
２４ａ  印刷データ
２４ｂ  スマートフォン用キーワード（携帯機器用符号化情報）
３０  ＭＦＰ（画像形成装置）
３３  スキャナー（読取デバイス）
３７ａ  印刷データ
３７ｂ  ＭＦＰ用キーワード（画像形成装置用符号化情報）
４０  スマートフォン（携帯機器）
４４  カメラ（撮像デバイス）
４５ａ  スマートフォン用キーワード（携帯機器用符号化情報）
４５ｂ  ＭＦＰ用キーワード（画像形成装置用符号化情報）
４５ｃ  暗号化済取得用情報（取得用情報）
４５ｄ  ＭＦＰ情報（装置情報）
【図１】
0006319589.tif 000002
【図２】
0006319589.tif 000003
【図３】
0006319589.tif 000004
【図４】
0006319589.tif 000005
【図５】
0006319589.tif 000006
【図６】
0006319589.tif 000007
【図７】
0006319589.tif 000008
【図８】
0006319589.tif 000009
【図９】
0006319589.tif 000010